(57)【要約】【課題】ピットロードからコースに復帰した後のドライバーからの車両の加速要求に対処できるようにする。【解決手段】ピットモードスイッチ８８がオンされたときに、ブレーキペダル８５が踏み込まれていないときにはエンジン３２からの動力の一部を用いてモータ３６から発電トルクを出力してキャパシタ５０が充電されるようモータ３６を制御すると共に車速が制限車速以下となるようエンジン３２を制御し、ブレーキペダル８５が踏み込まれているときにはブレーキ踏力に基づいてキャパシタ５０が充電されるよう前輪用モータ２４，２６を制御する。これにより、キャパシタ５０の端子間電圧を比較的高い電圧にしておくことができ、車両がその後にピットロードからコースに復帰してドライバーが車両を加速させたときにその加速要求に対処することができる。【選択図】図１
2009018709.tif 000002
【特許請求の範囲】
【請求項１】
走行用の動力を出力可能な内燃機関と、走行用の動力を入出力可能な電動機と、前記電動機と電力のやり取りが可能なキャパシタと、を備える車両であって、
ピットロードを走行する際に用いられるピットモードが設定されているピットモード時には、前記キャパシタへの充電が許容される範囲内での該キャパシタの充電を伴って所定車速以下で走行するよう前記内燃機関と前記電動機とを制御する制御手段と、
を備える車両。
【請求項２】
請求項１記載の車両であって、
前記電動機は、前記内燃機関の出力軸に接続された出力軸用電動機を有し、
前記制御手段は、前記ピットモード時にブレーキ操作が行なわれていないときには、前記内燃機関から出力される動力の一部を用いて前記出力軸用電動機により発電して前記キャパシタへの充電が行なわれるよう前記出力軸用電動機を制御する手段である、
車両。
【請求項３】
前記制御手段は、前記ピットモード時にブレーキ操作が行なわれているときには、前記電動機の回生駆動により前記キャパシタへの充電が行なわれるよう該電動機を制御する手段である請求項１または２記載の車両。
【請求項４】
請求項３記載の車両であって、
前記電動機は、前記内燃機関の出力軸が接続された車軸である第１の車軸とは異なる第２の車軸に取り付けられた車軸用電動機を有し、
前記制御手段は、前記電動機の回生駆動により前記キャパシタの充電を行なうときには、前記車軸用電動機を回生制御する手段である、
車両。
【請求項５】
前記車軸用電動機は、前記第２の車軸に取り付けられた車輪に直接動力を出力するインホイールモータである請求項４記載の車両。
【請求項６】
前記電動機と電力のやり取りが可能な機器として前記キャパシタのみを搭載する請求項１ないし５のいずれか１つの請求項に記載の車両。
【請求項７】
走行用の動力を出力可能な内燃機関と、走行用の動力を入出力可能な電動機と、前記電動機と電力のやり取りが可能なキャパシタと、を備える車両の制御方法であって、
ピットロードを走行する際に用いられるピットモードが設定されているピットモード時には、前記キャパシタへの充電が許容される範囲内での該キャパシタの充電を伴って所定車速以下で走行するよう前記内燃機関と前記電動機とを制御する、
ことを特徴とする車両の制御方法。
【発明の詳細な説明】
【技術分野】
【０００１】
本発明は、車両およびその制御方法に関する。
【背景技術】
【０００２】
従来、この種の車両としては、内燃機関とモータと駆動輪に連結されたトランスミッションとを直結すると共にモータと電力のやり取りが可能なキャパシタを備えるものが提案されている（例えば、特許文献１参照）。
【特許文献１】特開２００５−１６０２７１号公報
【発明の開示】
【発明が解決しようとする課題】
【０００３】
一般に、こうした車両では、キャパシタの端子間電圧が低いと、キャパシタに蓄えた電力を用いてモータを駆動する際にモータから十分なパワーを出力することができなくなる。また、レースを行なうときには、ドライバーは、通常、ピットロードからコースに復帰した後にアクセルペダルを大きく踏み込むと考えられる。これらより、ピットロードを走行するときには、その後にピットロードからコースに復帰した後のドライバーからの車両の加速要求に対処できるようにしておくことが望ましい。
【０００４】
本発明の車両およびその制御方法は、車両がピットロードからコースに復帰した後のドライバーからの車両の加速要求に対処できるようにすることを主目的とする。
【課題を解決するための手段】
【０００５】
本発明の車両およびその制御方法は、上述の主目的を達成するために以下の手段を採った。
【０００６】
本発明の車両は、
走行用の動力を出力可能な内燃機関と、走行用の動力を入出力可能な電動機と、前記電動機と電力のやり取りが可能なキャパシタと、を備える車両であって、
ピットロードを走行する際に用いられるピットモードが設定されているピットモード時には、前記キャパシタへの充電が許容される範囲内での該キャパシタの充電を伴って所定車速以下で走行するよう前記内燃機関と前記電動機とを制御する制御手段と、
を備えることを要旨とする。
【０００７】
この本発明の車両では、ピットロードを走行する際に用いられるピットモードが設定されているピットモード時には、キャパシタへの充電が許容される範囲内でのキャパシタの充電を伴って所定車速以下で走行するよう内燃機関と電動機とを制御する。これにより、ピットロードを走行しているときに、キャパシタの電圧を比較的高い状態にしておくことができる。この結果、車両がその後にピットロードからコースに復帰してドライバーが車両を加速させたいときに、電動機にその性能を十分に発揮させる電力を供給することができ、ドライバーの加速要求に対処することができる。
【０００８】
こうした本発明の車両において、前記電動機は、前記内燃機関の出力軸に接続された出力軸用電動機を有し、前記制御手段は、前記ピットモード時にブレーキ操作が行なわれていないときには、前記内燃機関から出力される動力の一部を用いて前記出力軸用電動機により発電して前記キャパシタへの充電が行なわれるよう前記出力軸用電動機を制御する手段である、ものとすることもできる。この場合、出力軸用電動機により発電された電力がキャパシタに充電される。
【０００９】
また、本発明の車両において、前記制御手段は、前記ピットモード時にブレーキ操作が行なわれているときには、前記電動機の回生駆動により前記キャパシタへの充電が行なわれるよう該電動機を制御する手段であるものとすることもできる。この場合、電動機により回生された電力がキャパシタに充電される。こうした態様の本発明の車両において、前記電動機は、前記内燃機関の出力軸が接続された車軸である第１の車軸とは異なる第２の車軸に取り付けられた車軸用電動機を有し、前記制御手段は、前記電動機の回生駆動により前記キャパシタの充電を行なうときには、前記車軸用電動機を回生制御する手段である、ものとすることもできる。ここで、「車軸用電動機」は、前記第２の車軸に取り付けられた車輪に直接動力を出力するインホイールモータであるものとすることもできる。
【００１０】
さらに、本発明の車両において、前記電動機と電力のやり取りが可能な機器として前記キャパシタのみを搭載するものとすることもできる。
【００１１】
本発明の車両の制御方法は、
走行用の動力を出力可能な内燃機関と、走行用の動力を入出力可能な電動機と、前記電動機と電力のやり取りが可能なキャパシタと、を備える車両の制御方法であって、
ピットロードを走行する際に用いられるピットモードが設定されているピットモード時には、前記キャパシタへの充電が許容される範囲内での該キャパシタの充電を伴って所定車速以下で走行するよう前記内燃機関と前記電動機とを制御する、
ことを特徴とする。
【００１２】
この本発明の車両の制御方法では、ピットロードを走行する際に用いられるピットモードが設定されているピットモード時には、キャパシタへの充電が許容される範囲内でのキャパシタの充電を伴って所定車速以下で走行するよう内燃機関と電動機とを制御する。これにより、ピットロードを走行しているときに、キャパシタの電圧を比較的高い状態にしておくことができる。この結果、車両がその後にピットロードからコースに復帰してドライバーが車両を加速させたいときに、電動機にその性能を十分に発揮させる電力を供給することができ、ドライバーの加速要求に対処することができる。
【発明を実施するための最良の形態】
【００１３】
次に、本発明を実施するための最良の形態を実施例を用いて説明する。
【実施例】
【００１４】
図１は、本発明の一実施例としてのレース用に開発されたハイブリッド自動車２０の構成の概略を示す構成図である。実施例のハイブリッド自動車２０は、左右前輪２９ａ，２９ｂに取り付けられた二つの前輪用モータ２４，２６を有する前輪系２１と、エンジン３２とエンジン３２のクランクシャフト３３に取り付けられたモータ３６とからの動力をトランスミッション３４とデファレンシャルギヤ３８とを介して左右後輪３９ａ，３９ｂに出力する後輪系３１と、前輪用モータ２４，２６やモータ３６と電力のやり取りを行なうキャパシタ５０と、左右前輪２９ａ，２９ｂや左右後輪３９ａ，３９ｂに取り付けられたホイールシリンダ６６ａ，６６ｂ，６８ａ，６８ｂに油圧を作用させることにより制動トルクを付与する電子制御式油圧ブレーキユニット（以下、「ＥＣＢ」という。）６０と、ハイブリッド自動車２０の全体をコントロールするメイン電子制御ユニット７０とを備える。
【００１５】
前輪用モータ２４，２６は、同期発電電動機や減速機、ハブベアリング等を一体化したいわゆるインホイールモータとして構成された互いに同一のものであり、インバータ４２，４４を介してキャパシタ５０と電力のやりとりを行なう。すなわち、前輪用モータ２４，２６は、左右前輪２９ａ，２９ｂに対して制動力や駆動力を左右独立に分配して出力可能な動力ユニットとして機能する。前輪用モータ２４，２６は、モータ用電子制御ユニット（以下、「モータＥＣＵ」という。）４０により駆動制御を受けている。
【００１６】
エンジン３２は、ガソリンまたは軽油等の炭化水素系の燃料により動力を出力する内燃機関であり、エンジン３２の運転状態を検出する各種センサから信号を入力するメイン電子制御ユニット７０により燃料噴射量や点火時期、吸入空気量等の制御を受けている。
【００１７】
トランスミッション３４は、例えば油圧駆動の６速の変速機として構成されており、ドライバーによるアップスイッチ８１やダウンスイッチ８２の操作に基づく信号を入力するメイン電子制御ユニット７０によりアップシフトやダウンシフトが行なわれるよう変速制御される。
【００１８】
モータ３６は、発電機として作動することができると共に電動機として作動可能な周知の同期発電電動機として構成されており、インバータ４６を介してキャパシタ５０と電力のやりとりを行なう。モータ３６は、前輪用モータ２４，２６と同様に、モータＥＣＵ４０により駆動制御を受けている。モータＥＣＵ４０には、前輪用モータ２４，２６やモータ３６を駆動制御するために必要な信号、例えば前輪用モータ２４，２６やモータ３６の回転子の回転位置を検出する回転位置検出センサ２５，２７，３７からの信号や図示しない電流センサにより検出される前輪用モータ２４，２６やモータ３６に印加される相電流等が入力されており、モータＥＣＵ４０からは、インバータ４２，４４，４６へのスイッチング制御信号が出力される。インバータ４２，４４，４６は、それぞれ６つのスイッチング素子と６つのダイオードとからなる周知のインバータ回路として構成されており、正極母線および負極母線がキャパシタ５０の入出力端子に接続されている。モータＥＣＵ４０は、メイン電子制御ユニット７０と通信しており、メイン電子制御ユニット７０からの制御信号によって前輪用モータ２４，２６やモータ３６を駆動制御すると共に必要に応じて前輪用モータ２４，２６やモータ３６の運転状態に関するデータをメイン電子制御ユニット７０に出力する。なお、モータＥＣＵ４０は、回転位置検出センサ２５，２７，３７からの信号に基づいて前輪用モータ２４，２６やモータ３６の回転数Ｎｆｌ，Ｎｆｒ，Ｎｍも演算している。
【００１９】
キャパシタ５０は、例えば電気二重層キャパシタとして構成されており、キャパシタ用電子制御ユニット（以下、「キャパシタＥＣＵ」という。）５２により充放電の制御が行なわれている。キャパシタＥＣＵ５２には、キャパシタ５０の端子間に取り付けられた電圧センサ５４により検出されるキャパシタ５０の端子間電圧Ｖｃａｐやキャパシタ５０からの電力ラインに取り付けられた電流センサ５６により検出されるキャパシタ５０を流れる電流Ｉｃａｐ，キャパシタ５０に取り付けられた温度センサ５８により検出されるキャパシタ５０の温度Ｔｃａｐなどが入力されている。キャパシタＥＣＵ５２は、メイン電子制御ユニット７０と通信しており、必要に応じてメイン電子制御ユニット７０に充放電に必要な制御信号を送信したり、キャパシタ５０の状態に関するデータをメイン電子制御ユニット７０に出力する。
【００２０】
ＥＣＢ６０は、ブレーキペダル８５の踏み込みにより加圧されるマスタシリンダ６１と、マスタシリンダ６１の圧力（ブレーキ踏力）に応じて車両に作用させるべき制動力のうちのＥＣＢ６０の分担割合に応じた制動トルクが左右前輪２９ａ，２９ｂや左右後輪３９ａ，３９ｂに作用するようにホイールシリンダ６６ａ，６６ｂ，６８ａ，６８ｂへの油圧を調整するブレーキアクチュエータ６４と、ブレーキアクチュエータ６４を駆動制御するブレーキ用電子制御ユニット（以下、「ブレーキＥＣＵ」という。）６２と、を備える。ブレーキＥＣＵ６２には、マスタシリンダ６１に取り付けられたマスタシリンダ圧センサ６１ａにより検出されるマスタシリンダ圧（ブレーキ踏力Ｆｂ）や左右前輪２９ａ，２９ｂおよび左右後輪３９ａ，３９ｂに設けられた図示しない車輪速センサからの車輪速などが入力されており、ブレーキＥＣＵ６２からはブレーキアクチュエータ６４への駆動信号が出力されている。ブレーキＥＣＵ６２は、メイン電子制御ユニット７０と通信しており、メイン電子制御ユニット７０からの制御信号によって左右前輪２９ａ，２９ｂや左右後輪３９ａ，３９ｂに制動トルクを作用させると共に必要に応じてＥＣＢ６０の状態に関するデータをメイン電子制御ユニット７０に出力する。
【００２１】
メイン電子制御ユニット７０は、ＣＰＵ７２を中心とするマイクロプロセッサとして構成されており、ＣＰＵ７２の他に処理プログラムを記憶するＲＯＭ７４と、データを一時的に記憶するＲＡＭ７６と、図示しない入出力ポートおよび通信ポートとを備える。メイン電子制御ユニット７０には、ステアリングに取り付けられてトランスミッション３４のアップシフトやダウンシフトを指示するアップスイッチ８１やダウンスイッチ８２からの信号やアクセルペダル８３の踏み込み量を検出するアクセルペダルポジションセンサ８４からのアクセル開度Ａｃｃ、ブレーキペダル８５の踏み込み量を検出するブレーキペダルポジションセンサ８６からのブレーキペダルポジションＢＰ，セーフティーカーモードを設定するためのセーフティーカーモードスイッチ８７からのオンオフ信号，ピットモードを設定するためのピットモードスイッチ８８からのオンオフ信号，車速センサ８９からの車速Ｖなどが入力ポートを介して入力されている。メイン電子制御ユニット７０は、上述したように、モータＥＣＵ４０やキャパシタＥＣＵ５２，ブレーキＥＣＵ６２と通信ポートを介して接続されており、モータＥＣＵ４０やキャパシタＥＣＵ５２ブレーキＥＣＵ６２と各種制御信号やデータのやりとりを行なっている。
【００２２】
こうして構成された実施例のハイブリッド自動車２０は、アクセルペダル８３の踏み込み量に応じてエンジン３２の吸入空気量などを調整すると共にキャパシタ５０に蓄えられた電力を用いてモータ３６からトルク出力を行ない、ブレーキペダル８５の踏み込み力（踏力）に応じたブレーキトルクをＥＣＢ６０と前輪用モータ２４，２６とから出力し、前輪用モータ２４，２６の回生トルクの出力により得られる回生電力をキャパシタ５０に蓄える。実施例では、レース用の車両としてハイブリッド自動車２０を構成しているため、キャパシタ５０の制御としては、キャパシタ５０の最大電圧（耐圧）Ｖｍａｘより１割〜２割程度低い電圧を上限電圧Ｖｈｉとしてキャパシタ５０の入力制限を行ない、前輪用モータ２４，２６からの回生トルクの出力によりレース用のコースを走行したときにコースにおいて最も大きな出力が要求される箇所（例えば、長い直線の入口）の直前でキャパシタ５０の電圧が上限電圧Ｖｈｉとなるようにコース毎に設定された最低電圧Ｖｓｅｔをキャパシタ５０の下限電圧Ｖｌｏｗとして設定して出力制限を行なう。例えば、耐圧が９００Ｖのキャパシタを用いた場合、上限電圧Ｖｈｉとしてはコースに無関係に７５０Ｖや８００Ｖなどを用い、下限電圧ＶｌｏｗとしてはＡコースでは５００Ｖを用い、Ｂコースでは５８０Ｖを用いるなどとして運用するのである。このように下限電圧Ｖｌｏｗをコース毎に設定するのは、コース上で最もモータ３６からの出力が要求される箇所で最大出力によりモータ３６を駆動するためである。したがって、実施例のハイブリッド自動車２０では、上限電圧Ｖｈｉと下限電圧Ｖｌｏｗとによって設定されるキャパシタ５０の使用電圧範囲に基づくキャパシタ５０の入出力制限Ｗｉｎ，Ｗｏｕｔを用いてモータ３６や前輪用モータ２４，２６を駆動制御することになる。なお、キャパシタ５０の入力制限Ｗｉｎの設定については後述する。
【００２３】
次に、こうして構成された実施例のハイブリッド自動車２０の動作、特にドライバーによりピットモードスイッチ８８がオンされたときの動作について説明する。図２は、実施例のハイブリッド用電子制御ユニット７０により実行されるピットモード時制御ルーチンの一例を示すフローチャートである。このルーチンは、ドライバーによりピットモードスイッチ８８がオンされたときに所定時間毎（例えば、数ｍｓｅｃ毎）に繰り返し実行される。
【００２４】
ピットモード時制御ルーチンが実行されると、ハイブリッド用電子制御ユニット７０のＣＰＵ７２は、まず、車速センサ８９からの車速Ｖやブレーキ踏力Ｆｂ，前輪用モータ２４，２６やモータ３６の回転数Ｎｆｒ，Ｎｆｌ，Ｎｍ，キャパシタ５０の端子間電圧Ｖｃａｐなど制御に必要なデータを入力する処理を実行する（ステップＳ１００）。ここで、ブレーキ踏力Ｆｂは、マスタシリンダ圧センサ６１ａにより検出されたものをブレーキＥＣＵ６２から通信により入力するものとした。また、前輪用モータ２４，２６やモータ３６の回転数Ｎｆｒ，Ｎｆｌ，Ｎｍは、回転位置検出センサ２５，２７，３７により検出された信号に基づいて演算されたものをモータＥＣＵ４０から通信により入力するものとした。さらに、キャパシタ５０の端子間電圧Ｖｃａｐは、電圧センサ５４により検出されたものをキャパシタＥＣＵ５２から通信により入力するものとした。
【００２５】
こうしてデータを入力すると、キャパシタ５０の端子間電圧Ｖｃａｐと上限電圧Ｖｈｉとに基づいてキャパシタ５０の入力制限Ｗｉｎを設定する（ステップＳ１１０）。キャパシタ５０の入力制限Ｗｉｎの設定は、実施例では、上限電圧Ｖｈｉから端子間電圧Ｖｃａｐを減じた値が所定値（例えば上限電圧Ｖｈｉの５％）以上のときにはキャパシタ５０の定格最大入力を入力制限Ｗｉｎとして設定し、上限電圧Ｖｈｉから端子間電圧Ｖｃａｐを減じた値が所定値未満のときには端子間電圧Ｖｃａｐが上限電圧Ｖｈｉに近づくほど小さくなるように、そしてキャパシタ５０の端子間電圧Ｖｃａｐが上限電圧Ｖｈｉに至ったときに値０になるよう入力制限Ｗｉｎを設定するものとした。
【００２６】
続いて、ブレーキ踏力Ｆｂが値０か否かを判定する（ステップ１２０）。ブレーキ踏力Ｆｂが値０か否かの判定は、ドライバーによりブレーキペダル８５が踏み込まれているか否かを判定するものである。ブレーキ踏力Ｆｂが値０のとき、即ち、ドライバーによりブレーキペダル８５が踏み込まれていないときには、キャパシタ５０の目標充電パワーＰｃａｐ＊を設定する（ステップＳ１３０）。キャパシタ５０の目標充電パワーＰｃａｐ＊は、例えば、固定値を用いるものとしたり、キャパシタ５０の端子間電圧Ｖｃａｐと上限電圧Ｖｈｉよりも若干低い目標電圧Ｖｃａｐ＊との偏差が打ち消されるよう比例項や積分項を用いたフィードバック制御などにより設定するものとしたりすることができる。
【００２７】
キャパシタ５０の目標充電パワーＰｃａｐ＊を設定すると、設定したキャパシタ５０の目標充電パワーＰｃａｐ＊をモータ３６の回転数Ｎｍで除してモータ３６から出力すべき発電トルク（負のトルク）の仮の値としての仮発電トルクＴｍｒｔｍｐを計算すると共に（ステップＳ１４０）、キャパシタ５０の入力制限Ｗｉｎをモータ３６の回転数Ｎｍで除してモータ３６から出力してもよい最大発電トルク（負の値）としてのトルク制限Ｔｍｒｍｉｎを計算し（ステップＳ１５０）、仮発電トルクＴｍｒｔｍｐとトルク制限Ｔｍｒｍｉｎとのうち大きい方（絶対値としては小さい方）をモータ３６のトルク指令Ｔｍｒ＊として設定すると共に設定したトルク指令Ｔｍｒ＊をモータＥＣＵ４０に送信し（ステップＳ１６０）、車速Ｖに基づいてエンジン３２の吸入空気量制御や燃料噴射制御，点火制御などを行なって（ステップＳ１７０）、ピットモード時制御ルーチンを終了する。トルク指令Ｔｍｒ＊を受信したモータＥＣＵ４０は、モータ３６からトルク指令Ｔｍｒ＊に相当する発電トルクが出力されるようインバータ４６のスイッチング素子をスイッチング制御する。また、メイン電子制御ユニット７０は、エンジン３２の制御として、車速Ｖが予め定められた制限車速（例えば８０ｋｍ／ｈ）以下となるよう、例えば、複数気筒の場合に１以上の気筒についてフューエルカットを行なったりしている。このように走行することにより、モータ３６により発電された電力がキャパシタ５０に充電される。この結果、キャパシタ５０の端子間電圧Ｖｃａｐを比較的高い電圧にしておくことができ、ピットモードスイッチ８８がオフされてドライバーが車両を加速させたいときに、モータ３６にその性能を十分に発揮させる電力を供給することができる。
【００２８】
ステップＳ１２０でブレーキ踏力Ｆｂが値０でないとき、即ち、ドライバーによりブレーキペダル８５が踏み込まれているときには、ブレーキ踏力Ｆｂと前輪油圧ブレーキトルクと後輪油圧ブレーキトルクと回生ブレーキトルクとの関係を予め定めてＲＯＭ７４に記憶させておいたブレーキトルク設定用マップから入力したブレーキ踏力Ｆｂに対応する回生ブレーキトルクを導出して仮回生トルクＴｍｆｔｍｐとして設定する（ステップＳ１８０）。ブレーキトルク設定用マップの一例を図３に示す。そして、キャパシタ５０の入力制限Ｗｉｎを前輪用モータ２４，２６の回転数Ｎｆｒ，Ｎｆｌの和で除して前輪用モータ２４，２６のトルク制限Ｔｍｆｍｉｎを計算し（ステップＳ１９０）、設定した仮回生トルクＴｍｆｔｍｐとトルク制限Ｔｍｆｍｉｎのうち大きい方（絶対値としては小さい方）を前輪用モータ２４，２６のトルク指令Ｔｍｆ＊として設定すると共に設定した前輪用モータ２４，２６のトルク指令Ｔｍｆ＊をモータＥＣＵ４０に送信する（ステップＳ２００）。トルク指令Ｔｍｆ＊を受信したモータＥＣＵ４０は、前輪用モータ２４，２６からトルク指令Ｔｍｆ＊に相当する回生トルクが出力されるようインバータ４２，４４のスイッチング素子をスイッチング制御する。これにより、前輪用モータ２４，２６により回生された電力がキャパシタ５０に充電される。この場合も、ピットモードスイッチ８８がオフされてからドライバーによりアクセルペダル８３が大きく踏み込まれたときにモータ３６にその性能を十分に発揮させる電力を供給することができる。
【００２９】
前輪用モータ２４，２６のトルク指令Ｔｍｆ＊を設定すると、ブレーキトルク設定用マップから入力したブレーキ踏力Ｆｂに対応する前輪油圧ブレーキトルクを導出して仮前輪油圧ブレーキトルクＴｂｆｔｍｐとして設定し（ステップＳ２１０）、仮回生トルクＴｍｆｔｍｐからトルク指令Ｔｍｆ＊を減じて２倍した値を設定した仮前輪油圧ブレーキトルクＴｂｆｔｍｐに加えて前輪油圧ブレーキトルクＴｂｆとして設定すると共に設定した前輪油圧ブレーキＴｂｆをブレーキＥＣＵ６２に送信する（ステップＳ２２０）。また、ブレーキトルク設定用マップから入力したブレーキ踏力Ｆｂに対応する後輪油圧ブレーキトルクを導出して後輪油圧ブレーキトルクＴｂｒとして設定すると共に設定した後輪油圧ブレーキＴｂｒをブレーキＥＣＵ６２に送信して（ステップＳ２３０）、制動時制御ルーチンを終了する。前輪油圧ブレーキトルクＴｂｆと後輪油圧ブレーキトルクＴｂｒとを受信したブレーキＥＣＵ６２は、前輪２９ａ，２９ｂに前輪油圧ブレーキトルクＴｂｆが作用すると共に後輪３９ａ，３９ｂに後輪油圧ブレーキトルクＴｂｒが作用するようブレーキアクチュエータ６４を駆動制御する。これにより、前輪２９ａ，２９ｂに前輪油圧ブレーキトルクＴｂｆが作用すると共に後輪３９ａ，３９ｂに後輪油圧ブレーキトルクＴｂｒが作用する。なお、前輪油圧ブレーキトルクＴｆをブレーキトルク設定用マップから導出した仮前輪油圧ブレーキトルクＴｂｆｔｍｐに仮回生トルクＴｍｆｔｍｐからトルク指令Ｔｍ＊を減じて２倍した値を加えることによって計算することにより、トルク制限Ｔｍｆｍｉｎにより前輪用モータ２４，２６から出力すべき回生トルクが制限されているときでも、車両に作用させる制動力が減少しないようにしている。
【００３０】
以上説明した実施例のハイブリッド自動車２０によれば、ピットモードスイッチ８８がオンされたときに、ブレーキペダル８５が踏み込まれていないときにはエンジン３２からの動力の一部を用いてモータ３６から発電トルクを出力してキャパシタ５０が充電されるようモータ３６のトルク指令Ｔｍｒ＊を設定してモータ３６を制御すると共に車速Ｖが制限車速以下となるようエンジン３２を制御し、ブレーキペダル８５が踏み込まれているときにはブレーキ踏力Ｆｂに基づいてキャパシタ５０が充電されるよう前輪用モータ２４，２６のトルク指令Ｔｍｆ＊を設定して前輪用モータ２４，２６を制御することにより、キャパシタ５０の端子間電圧Ｖｃａｐを比較的高い電圧にしておくことができる。これにより、その後にピットモードスイッチ８８がオフされてドライバーによりアクセルペダル８３が大きく踏み込まれたときにモータ３６にその性能を十分に発揮させる電力を供給することができ、ドライバーの加速要求に対処することができる。
【００３１】
実施例のハイブリッド自動車２０では、ブレーキペダル８５が踏み込まれているときには、前輪用モータ２４，２６を回生制御してキャパシタ５０を充電するものとしたが、前輪用モータ２４，２６に加えてまたは代えて、モータ３６を回生制御してキャパシタ５０を充電するものとしてもよい。
【００３２】
実施例のハイブリッド自動車２０では、前輪用モータ２４，２６やモータ３６と電力のやり取りが可能な蓄電装置としてキャパシタ５０のみを備えるものとしたが、キャパシタ５０以外に二次電池を搭載するものとしても構わない。
【００３３】
実施例では、前輪に取り付けられたインホイールモータとしての前輪用モータ２４，２６と、エンジン３２のクランクシャフト３３に取り付けられたモータ３６と、前輪用モータ２４，２６やモータ３６と電力のやり取りが可能なキャパシタ５０とを備えるハイブリッド自動車２０に本発明を適用した場合について説明したが、走行用の動力を出力可能な内燃機関と、走行用の動力を入出力可能な電動機と、電動機と電力のやり取りが可能なキャパシタと、を備える車両であれば、如何なる車両に適用するものとしてもよい。
【００３４】
ここで、実施例や変形例の主要な要素と課題を解決するための手段の欄に記載した発明の主要な要素との対応関係について説明する。実施例では、エンジン３２が「内燃機関」に相当し、前輪用モータ２４，２６やモータ３６が「電動機」に相当し、キャパシタ５０が「キャパシタ」に相当し、ピットモードスイッチ８８がオンされたときに、ブレーキペダル８５が踏み込まれていないときにはエンジン３２からの動力の一部を用いてモータ３６から発電トルクを出力してキャパシタ５０が充電されるようモータ３６のトルク指令Ｔｍｒ＊を設定してモータＥＣＵ４０に送信すると共に車速Ｖが制限車速以下となるようエンジン３２を制御し、ブレーキペダル８５が踏み込まれているときにはブレーキ踏力Ｆｂに基づいてキャパシタ５０が充電されるよう前輪用モータ２４，２６のトルク指令Ｔｍｆ＊を設定してモータＥＣＵ４０に送信する図２のピットモード時制御ルーチンを実行するメイン電子制御ユニット７０とトルク指令Ｔｍｒ＊に基づいてモータ３６を制御すると共にトルク指令Ｔｍｆ＊に基づいて前輪用モータ２４，２６を制御するモータＥＣＵ４０とが「制御手段」に相当する。また、前輪用モータ２４，２６が「車軸用電動機」に相当し、モータ３６が「出力軸用電動機」に相当する。
【００３５】
ここで、本発明の車両において、「内燃機関」としては、ガソリンまたは軽油等の炭化水素系の燃料により動力を出力するものに限定されるものではなく、走行用の動力を出力可能なものであれば如何なるタイプの内燃機関としても構わない。「電動機」としては、インホイールモータとして構成された前輪用モータ２４，２６や同期発電電動機として構成されたモータ３６などに限定されるものではなく、走行用の動力を入出力可能なものであれば如何なるタイプの電動機としても構わない。「キャパシタ」としては、電気二重層キャパシタとして構成されたキャパシタ５０に限定されるものではなく、電動機と電力のやりとりが可能なものであれば如何なるタイプのキャパシタとしても構わない。「制御手段」としては、メイン電子制御ユニット７０とモータＥＣＵ４０とを組み合わせたものに限定されるものではなく、単一の電子制御ユニットとしても構わない。また、「制御手段」としては、ピットモードスイッチ８８がオンされたときに、ブレーキペダル８５が踏み込まれていないときにはエンジン３２からの動力の一部を用いてモータ３６から発電トルクを出力してキャパシタ５０が充電されるようモータ３６のトルク指令Ｔｍｒ＊を設定してモータ３６を制御すると共に車速Ｖが制限車速以下となるようエンジン３２を制御し、ブレーキペダル８５が踏み込まれているときにはブレーキ踏力Ｆｂに基づいてキャパシタ５０が充電されるよう前輪用モータ２４，２６のトルク指令Ｔｍｆ＊を設定して前輪用モータ２４，２６を制御するものに限定されるものではなく、ピットロードを走行する際に用いられるピットモードが設定されているピットモード時には、キャパシタへの充電が許容される範囲内でのキャパシタの充電を伴って所定車速以下で走行するよう内燃機関と電動機とを制御するものであれば如何なるものとしても構わない。なお、実施例や変形例の主要な要素と課題を解決するための手段の欄に記載した発明の主要な要素との対応関係は、実施例が課題を解決するための手段の欄に記載した発明を実施するための最良の形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００３６】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３７】
本発明は、車両の製造産業などに利用可能である。
【図面の簡単な説明】
【００３８】
【図１】本発明の一実施例としてのレース用に開発されたハイブリッド自動車２０の構成の概略を示す構成図である。
【図２】メイン電子制御ユニット７０により実行されるピットモード時制御ルーチンの一例を示すフローチャートである。
【図３】ブレーキトルク設定用マップの一例を示す説明図である。
【符号の説明】
【００３９】
２０  ハイブリッド自動車、２１  前輪系、２４，２６  前輪用モータ、２５，２７  回転位置検出センサ、２９ａ，２９ｂ  前輪、３１  後輪系、３２  エンジン、３３  クランクシャフト、３４  トランスミッション、３６  モータ、３７  回転位置検出センサ、３８  デファレンシャルギヤ、３９ａ，３９ｂ  後輪、４０  モータ用電子制御ユニット（モータＥＣＵ）、４２，４４，４６  インバータ、５０  キャパシタ、５２  キャパシタ用電子制御ユニット（キャパシタＥＣＵ）、５４  電圧センサ、５６  電流センサ、５８  温度センサ、６０  電子制御式油圧ブレーキユニット（ＥＣＢ）、６１  マスタシリンダ、６１ａ  マスタシリンダ圧センサ、６２  ブレーキ用電子制御ユニット（ブレーキＥＣＵ）、６４  ブレーキアクチュエータ、６６ａ，６６ｂ，６８ａ，６８ｂ  ホイールシリンダ、７０  メイン電子制御ユニット、７２  ＣＰＵ、７４  ＲＯＭ、７６  ＲＡＭ、８１  アップスイッチ、８２  ダウンスイッチ、８３  アクセルペダル、８４  アクセルペダルポジションセンサ、８５  ブレーキペダル、８６  ブレーキペダルポジションセンサ、８７  セーフティーカーモードスイッチ、８８  ピットモードスイッチ８８、８９  車速センサ。
【図１】
2009018709.tif 000003
【図２】
2009018709.tif 000004
【図３】
2009018709.tif 000005